(57)【要約】【課題】プライバシーを保護しつつ保証するセキュリティのレベルを向上させる。【解決手段】ホームセイフティ機器２０は、ネットワークミドル１１０と、カメラ１３０と、ＲＴＣ１２０と、キャプチャ部１３２と、取得部１２２と、通信制御部１１２と、監視部１４０と、時刻記憶部１４４と、ディスプレイ１６０とを含む。ネットワークミドル１１０は通信する。カメラ１３０は撮影する。ＲＴＣ１２０は時刻を特定する。キャプチャ部１３２は、ネットワークミドル１１０が指示を受信すると、静止画の情報を生成する。取得部１２２は、ネットワークミドル１１０が指示を受信すると、時刻情報を生成する。通信制御部１１２は、静止画の情報と時刻情報とを送信するように、ネットワークミドル１１０を制御する。監視部１４０は時刻情報の出力の方向を規制する。時刻記憶部１４４は、時刻情報を記憶する。ディスプレイ１６０は時刻情報を出力する。【選択図】図３
2007115113.tif 000002
【特許請求の範囲】
【請求項１】
通信するための通信手段と、
撮影するための撮影手段と、
時刻を特定するための特定手段と、
前記通信手段が指示を受信すると、前記撮影手段が撮影した映像から静止画の情報を生成するための第１の生成手段と、
前記通信手段が指示を受信すると、前記第１の生成手段が静止画の情報を生成した時刻を表わす時刻情報を生成するための第２の生成手段と、
前記静止画の情報と前記時刻情報とを送信するように、前記通信手段を制御するための制御手段と、
光通信により前記時刻情報の出力の方向を規制するための規制手段と、
前記規制手段が出力の方向を規制した時刻情報を記憶するための記憶手段と、
前記記憶手段が記憶した時刻情報を出力するための出力手段とを含む、ホームセイフティ機器。
【請求項２】
通信するための通信手段と、
撮影するための撮影手段と、
時刻を特定するための特定手段と、
前記通信手段が指示を受信すると、前記撮影手段が撮影した映像から静止画の情報を生成するための第１の生成手段と、
前記通信手段が指示を受信すると、前記第１の生成手段が静止画の情報を生成した時刻を表わす時刻情報を生成するための第２の生成手段と、
前記静止画の情報と前記時刻情報とを送信するように、前記通信手段を制御するための制御手段と、
記憶した情報の前記通信手段による送信を防止するように、前記時刻情報を記憶するための記憶手段と、
前記記憶手段が記憶した時刻情報を出力するための出力手段とを含む、ホームセイフティ機器。
【請求項３】
前記記憶手段は、
前記時刻情報の出力の方向を規制するための規制手段と、
前記規制手段が出力の方向を規制した時刻情報を記憶するための手段とを含む、請求項２に記載のホームセイフティ機器。
【請求項４】
前記規制手段は、光通信により前記時刻情報の出力の方向を規制するための手段を含む、請求項３に記載のホームセイフティ機器。
【請求項５】
前記出力手段は、前記時刻情報を表示するための手段を含む、請求項２に記載のホームセイフティ機器。
【請求項６】
前記出力手段は、前記時刻情報を音声により出力するための手段を含む、請求項２に記載のホームセイフティ機器。
【請求項７】
前記ホームセイフティ機器は、時刻情報を出力させるか否かを表わす情報を受付けるための受付手段をさらに含み、
前記出力手段は、前記時刻情報を出力させるか否かを表わす情報に対応するように前記時刻情報を出力するための手段を含む、請求項２に記載のホームセイフティ機器。
【請求項８】
通信する通信ステップと、
撮影する撮影ステップと、
時刻を特定する特定ステップと、
前記通信ステップにおいて指示を受信すると、前記撮影ステップにおいて撮影した映像から静止画の情報を生成する第１の生成ステップと、
前記通信ステップにおいて指示を受信すると、前記第１の生成ステップにおいて静止画の情報を生成した時刻を表わす時刻情報を生成する第２の生成ステップと、
前記静止画の情報と前記時刻情報とを送信するように、前記通信ステップを制御する制御ステップと、
記憶した情報の前記通信ステップにおける送信を防止するように、前記時刻情報を記憶する記憶ステップと、
前記記憶ステップにおいて記憶した時刻情報を出力する出力ステップとを含む各ステップをコンピュータに実行させるためのホームセイフティプログラム。
【請求項９】
通信する通信ステップと、
撮影する撮影ステップと、
時刻を特定する特定ステップと、
前記通信ステップにおいて指示を受信すると、前記撮影ステップにおいて撮影した映像から静止画の情報を生成する第１の生成ステップと、
前記通信ステップにおいて指示を受信すると、前記第１の生成ステップにおいて静止画の情報を生成した時刻を表わす時刻情報を生成する第２の生成ステップと、
前記静止画の情報と前記時刻情報とを送信するように、前記通信ステップを制御する制御ステップと、
記憶した情報の前記通信ステップにおける送信を防止するように、前記時刻情報を記憶する記憶ステップと、
前記記憶ステップにおいて記憶した時刻情報を出力する出力ステップとを含む各ステップをコンピュータに実行させるためのホームセイフティプログラムを記録したコンピュータ読取り可能な記録媒体。
【発明の詳細な説明】
【技術分野】
【０００１】
本発明は、ホームセイフティ機器、ホームセイフティプログラム、およびホームセイフティプログラムを記録したコンピュータ読取り可能な記録媒体に関し、特に、警報状態の所在を中央局に通報するホームセイフティ機器、ホームセイフティプログラム、およびホームセイフティプログラムを記録したコンピュータ読取り可能な記録媒体に関する。
【背景技術】
【０００２】
特許文献１は、少なくともドアホン子器を親機に接続したインターホン系と、汎用通信の信号線に住宅設備、セキュリティ関連の機器を端末として接続した制御監視系とを有し、親機には、操作部と、ドアホン子器との間で通話路を形成する通話線と、ドアホン子器に設けられたＴＶカメラや監視カメラからの映像を取り込み、その映像と操作用画面や情報表示用画面の画像とをモニタ装置で再生させる映像信号を出力するグラフィックス生成回路と、モニタ装置の画面上での操作情報や操作部での操作情報を取り込むタッチパネルコントローラと、防犯センサなどの異常検出用のセンサからの検知信号が入力すると警報を発報するベルと、留守・就寝・在宅などの状況に応じてセンサの検知動作を有効とする警戒状態のセットとその解除を設定する留守ボタンと、制御監視系の信号線を介して各端末との間の制御監視の情報の送受信を行うＲＳ４８５（Recommended Standard 485）と、タッチパネルコントローラに取り込んだ操作情報に基づいて制御監視系の信号線に接続された端末の制御や、端末からの動作情報を受信するドアホン呼出検出回路とを備え、ドアホン呼出検出回路による制御・監視の操作用画面および情報表示用画面情報をモニタ装置に表示させる住宅用制御・監視統合システムを開示する。
【０００３】
特許文献１に開示された発明によると、汎用通信を利用した住宅設備やセキュリティ機器の制御監視を可能とし、多様なユーザのニーズに適応できる。
【特許文献１】特開２００４−１３５１９７号公報
【発明の開示】
【発明が解決しようとする課題】
【０００４】
しかし、特許文献１に開示された発明では、プライバシーの保護を解決課題としていないという問題点がある。従来のセキュリティ機器が、プライバシーを犠牲にすることによりユーザの安全を確保する機器だからである。通信技術が高度に発達した現代において、プライバシーを犠牲にしたことに対し何ら対処がなければ、ユーザのプライバシーは容易に第三者に漏れてしまう。これらのことは、プライバシーを保護することとセキュリティのレベルを向上させることという互いに相反する事柄が要請されていることを意味する。
【０００５】
本発明は上述の問題点を解決するためになされたものであって、その目的は、プライバシーを保護しつつ保証するセキュリティのレベルを向上できるホームセイフティ機器、ホームセイフティプログラム、およびホームセイフティプログラムを記録したコンピュータ読取り可能な記録媒体を提供することにある。
【課題を解決するための手段】
【０００６】
上記目的を達成するために、本発明のある局面に従うと、ホームセイフティ機器は、通信手段と、撮影手段と、特定手段と、第１の生成手段と、第２の生成手段と、制御手段と、規制手段と、記憶手段と、出力手段とを含む。通信手段は通信する。撮影手段は撮影する。特定手段は時刻を特定する。第１の生成手段は、通信手段が指示を受信すると、撮影手段が撮影した映像から静止画の情報を生成する。第２の生成手段は、通信手段が指示を受信すると、第１の生成手段が静止画の情報を生成した時刻を表わす時刻情報を生成する。制御手段は、静止画の情報と時刻情報とを送信するように、通信手段を制御する。規制手段は、光通信により時刻情報の出力の方向を規制する。記憶手段は、規制手段が出力の方向を規制した時刻情報を記憶する。出力手段は、記憶手段が記憶した時刻情報を出力する。
【０００７】
本発明の他の局面に従うと、ホームセイフティ機器は、通信手段と、撮影手段と、特定手段と、第１の生成手段と、第２の生成手段と、制御手段と、記憶手段と、出力手段とを含む。通信手段は通信する。撮影手段は撮影する。特定手段は時刻を特定する。第１の生成手段は、通信手段が指示を受信すると、撮影手段が撮影した映像から静止画の情報を生成する。第２の生成手段は、通信手段が指示を受信すると、第１の生成手段が静止画の情報を生成した時刻を表わす時刻情報を生成する。制御手段は、静止画の情報と時刻情報とを送信するように、通信手段を制御する。記憶手段は、記憶した情報の通信手段による送信を防止するように、時刻情報を記憶する。出力手段は、記憶手段が記憶した時刻情報を出力する。
【０００８】
また、上述の記憶手段は、時刻情報の出力の方向を規制するための規制手段と、規制手段が出力の方向を規制した時刻情報を記憶するための手段とを含むことが望ましい。
【０００９】
もしくは、上述の規制手段は、光通信により時刻情報の出力の方向を規制するための手段を含むことが望ましい。
【００１０】
また、上述の出力手段は、時刻情報を表示するための手段を含むことが望ましい。
また、上述の出力手段は、時刻情報を音声により出力するための手段を含むことが望ましい。
【００１１】
また、上述のホームセイフティ機器は、時刻情報を出力させるか否かを表わす情報を受付けるための受付手段をさらに含むことが望ましい。併せて、出力手段は、時刻情報を出力させるか否かを表わす情報に対応するように時刻情報を出力するための手段を含むことが望ましい。
【００１２】
本発明の他の局面に従うと、ホームセイフティプログラムは、通信ステップと、撮影ステップと、特定ステップと、第１の生成ステップと、第２の生成ステップと、制御ステップと、記憶ステップと、出力ステップとを含むステップをコンピュータに実行させる。通信ステップは通信する。撮影ステップは撮影する。特定ステップは時刻を特定する。第１の生成ステップは、通信ステップにおいて指示を受信すると、撮影ステップにおいて撮影した映像から静止画の情報を生成する。第２の生成ステップは、通信ステップにおいて指示を受信すると、第１の生成ステップにおいて静止画の情報を生成した時刻を表わす時刻情報を生成する。制御ステップは、静止画の情報と時刻情報とを送信するように、通信ステップを制御する。記憶ステップは、記憶した情報の通信ステップにおける送信を防止するように、時刻情報を記憶する。出力ステップは、記憶ステップにおいて記憶した時刻情報を出力する。
【００１３】
本発明の他の局面に従うと、記録媒体はホームセイフティプログラムを記録する。ホームセイフティプログラムは、通信ステップと、撮影ステップと、特定ステップと、第１の生成ステップと、第２の生成ステップと、制御ステップと、記憶ステップと、出力ステップとを含むステップをコンピュータに実行させる。通信ステップは通信する。撮影ステップは撮影する。特定ステップは時刻を特定する。第１の生成ステップは、通信ステップにおいて指示を受信すると、撮影ステップにおいて撮影した映像から静止画の情報を生成する。第２の生成ステップは、通信ステップにおいて指示を受信すると、第１の生成ステップにおいて静止画の情報を生成した時刻を表わす時刻情報を生成する。制御ステップは、静止画の情報と時刻情報とを送信するように、通信ステップを制御する。記憶ステップは、記憶した情報の通信ステップにおける送信を防止するように、時刻情報を記憶する。出力ステップは、記憶ステップにおいて記憶した時刻情報を出力する。
【発明の効果】
【００１４】
本発明に係るホームセイフティ機器、ホームセイフティプログラム、およびホームセイフティプログラムを記録したコンピュータ読取り可能な記録媒体は、プライバシーを保護しつつ保証するセキュリティのレベルを向上できる。
【発明を実施するための最良の形態】
【００１５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１６】
図１を参照して、本実施の形態に係る防犯システム１０は、ホームセイフティ機器２０と、サーバ３０と、携帯電話４０とを含む。ホームセイフティ機器２０とサーバ３０との間の通信は、暗号化されている。ホームセイフティ機器２０は、映像を撮影する機器である。ホームセイフティ機器２０は、サーバ３０からキャプチャをすべき旨の指示を受信すると、画像をキャプチャする。ホームセイフティ機器２０は、ユーザの自宅に設置されている。サーバ３０は、ホームセイフティ機器２０がキャプチャした画像を蓄積する装置である。サーバ３０は、警備会社に設置されている。サーバ３０は、ホームセイフティ機器２０を制御する装置でもある。携帯電話４０は、画像をキャプチャすべき旨の指示をユーザが入力すると、入力された指示を表わす信号をサーバ３０に送信する装置である。携帯電話４０は、ユーザが外出時に携帯する。
【００１７】
図２は、ホームセイフティ機器２０の外観図である。図３は、ホームセイフティ機器２０の制御ブロック図である。図２および図３を参照して、ホームセイフティ機器２０は、焦電センサ１００と、センサスイッチ１０２と、スイッチ管理部１０４と、センサ管理部１０６と、ネットワークミドル１１０と、通信制御部１１２と、接続部１１４と、実行部１１６と、ＲＴＣ（Real Time Clock）１２０と、取得部１２２と、ログ部１２４と、ログ転送部１２６と、カメラ１３０と、キャプチャ部１３２と、圧縮部１３４と、画像転送部１３６と、監視部１４０と、モードスイッチ１４２と、時刻記憶部１４４と、スピーカ１４６と、ディスプレイ１６０と、ＬＥＤ１６２とを含む。
【００１８】
焦電センサ１００は人体が発する赤外線により人体の存在を検出するセンサである。センサスイッチ１０２は焦電センサ１００の信号を利用するか否かを判断するために用いるスイッチである。スイッチ管理部１０４は、センサスイッチ１０２の状態を検出する装置である。スイッチ管理部１０４は、センサスイッチ１０２の状態を表わす情報を記憶する装置でもある。センサ管理部１０６は、焦電センサ１００が出力した信号を実行部１１６に出力する装置である。センサ管理部１０６は、スイッチ管理部１０４が記憶した情報に応じて焦電センサ１００が出力した信号を実行部１１６に出力したり出力しなかったりする。ネットワークミドル１１０は、イーサネット（登録商標）やモデムから受信した信号を、ホームセイフティ機器２０を構成する各装置などが利用できる信号に変換する装置である。ネットワークミドル１１０は、ホームセイフティ機器２０を構成する装置などが出力した信号をイーサネット（登録商標）やモデムが通信できる信号に変換する装置でもある。これらにより、ネットワークミドル１１０は、通信するための装置となる。本実施の形態の場合、ネットワークミドル１１０は、ホームセイフティ機器２０の背面に設けられている。通信制御部１１２は、各種の情報を送信したり、各種の指示を受信したりするようにネットワークミドル１１０を制御する装置である。接続部１１４は、情報を記憶する装置である。接続部１１４が記憶する情報はネットワークミドル１１０がイーサネット（登録商標）やモデムを介して外部の装置と通信を確立しているか否かを表わす情報である。接続部１１４は、ネットワークミドル１１０が接続を確立していない場合、イーサネット（登録商標）やモデムを介して外部の装置と通信を確立するようにネットワークミドル１１０を制御する装置でもある。実行部１１６は、ネットワークミドル１１０が受信した指示を記憶する装置である。実行部１１６が記憶する指示には、ブザーを鳴らす指示のほか、指定された時刻や指定された周期に従って撮影させる指示が含まれる。本実施の形態の場合、実行部１１６は、ネットワークミドル１１０が受信した各種の指示をフラグの値として記憶する。ＲＴＣ１２０は時刻を特定する装置である。取得部１２２はＲＴＣ１２０から時刻を表わす情報を取得する装置である。ログ部１２４は、時刻情報に基づき、ログを表わす情報を生成する装置である。ログ転送部１２６は、ログを表わす情報を送信するように通信制御部１１２を制御する装置である。カメラ１３０は映像を撮影する装置である。キャプチャ部１３２はカメラ１３０が撮影した映像から画像をキャプチャする装置である。「キャプチャ」とは静止画の情報を生成することである。圧縮部１３４はキャプチャ部１３２がキャプチャした画像の情報を圧縮する装置である。画像転送部１３６は圧縮部１３４が圧縮した静止画の情報を送信するように通信制御部１１２を制御する装置である。通信制御部１１２と接続部１１４とログ転送部１２６と画像転送部１３６とが、静止画の情報と時刻情報とを送信するようにネットワークミドル１１０を制御する装置を構成している。監視部１４０は、画像をキャプチャする指示をネットワークミドル１１０が受信したか否かを監視する装置である。監視部１４０は実行部１１６が記憶するフラグの値を所定の周期で読出すことによりそのことを監視する装置である。監視部１４０は、時刻記憶部１４４が記憶する時刻情報の、出力の方向を規制する装置でもある。本実施の形態の場合、監視部１４０は、時刻記憶部１４４に対し時刻情報を送信するための発光素子を含みかつ時刻記憶部１４４から情報を受信するための受光素子を含まない。これにより、監視部１４０は、光通信により時刻情報の出力の方向を規制する装置となる。モードスイッチ１４２は、スイッチである。モードスイッチ１４２は、スイッチとしての動作により、情報を受付ける。モードスイッチ１４２が受付ける情報は、ディスプレイ１６０に時刻情報を出力させるか否かを表わす情報である。時刻記憶部１４４は、時刻情報を記憶する装置である。時刻記憶部１４４は、監視部１４０の監視の結果とモードスイッチ１４２が受付けた情報とに対応するように時刻情報を記憶する。時刻記憶部１４４が記憶する時刻情報は、監視部１４０への出力がないように、監視部１４０が出力の方向を規制した時刻情報である。これにより、時刻記憶部１４４は、記憶した情報の送信を防止するように、時刻情報を記憶する装置となる。スピーカ１４６は時刻記憶部１４４が出力した時刻情報を音声により出力する装置である。ディスプレイ１６０は実行部１１６の制御に応じて情報を出力する装置である。本実施の形態の場合、ディスプレイ１６０は７セグメントのＬＥＤにより情報を出力する。ディスプレイ１６０はソフトウェアのダウンロードに必要な情報や時刻記憶部１４４が出力した時刻情報をスクロール表示する装置である。ＬＥＤ１６２は実行部１１６が記憶するフラグの値に対応するように点灯する素子である。
【００１９】
図４を参照して、本実施の形態に係るホームセイフティ機器２０を実現するコンピュータハードウェアの制御ブロック図を示す。このコンピュータは、ＣＰＵ（Central Process Unit）２３１と、ＨＤ装置２３３と、表示部２３４と、ＲＡＭ（Random Access Memory）２３５と、通信部２３６と、ＣＤ−ＲＷ（Compact Disk Rewritable）ドライブ２３７と、操作部２３８とを含む。ＣＰＵ２３１は、当該コンピュータの全体的な動作を制御する。ＣＰＵ２３１は、入出力インターフェイス（Ｉ／Ｏ）２３２を介して、ＨＤ装置２３３、表示部２３４、ＲＡＭ２３５、通信部２３６、ＣＤ−ＲＷドライブ２３７、および操作部２３８と接続されている。ＨＤ装置２３３は、ハードディスクに、ファイルおよびＣＰＵ３１の動作プログラムを含む種々の情報を記録する。表示部２３４は、液晶ディスプレイなどである。ＲＡＭ２３５は、ＣＰＵ２３１のワークエリアである。通信部２３６は、ネットワーク網を介して外部の装置へ情報を送信する装置である。通信部２３６はネットワーク網を介して外部の装置から情報を受信する装置でもある。ＣＤ−ＲＷドライブ２３７は、外部から挿入されるＣＤ−ＲＷ３００などの記録媒体に記録された情報を読取り、かつ、当該記録媒体の情報を書換える。ＣＤ−ＲＷドライブ２３７は、バス２３９を介して、入出力インターフェイス２３２と接続されている。操作部２３８は、ユーザが情報を入力するためのキーボードなどである。このとき、ホームセイフティ機器２０は、コンピュータハードウェアとＣＰＵ２３１により実行されるソフトウェアとにより実現される。一般的にこうしたソフトウェアは、ＣＤ−ＲＷ３００などの記録媒体に格納されて流通し、ＣＤ−ＲＷドライブ２３７などにより記録媒体から読込まれる。ＣＰＵ２３１はＣＤ−ＲＷドライブ２３７に読込まれたソフトウェアを実行する。図４に示したハードウェア自体は一般的なものである。したがって、この場合、発明の最も本質的な部分はＣＤ−ＲＷ３００などの記録媒体に記録されたソフトウェアである。
【００２０】
図５を参照して、ホームセイフティ機器２０で実行されるプログラムは、時刻情報の記憶に関し、以下のような制御を実行する。
【００２１】
ステップ３００（以下、ステップをＳと略す。）にて、ネットワークミドル１１０は指示を受信する。指示が受信されると、ネットワークミドル１１０は受信した指示を実行部１１６に出力する。通信制御部１１２および接続部１１４は指示を中継する。指示が出力されると、実行部１１６は指示の種類および指示の内容に対応するようにフラグの値を変更する。
【００２２】
Ｓ３０２にて、取得部１２２とキャプチャ部１３２と監視部１４０とは実行部１１６のフラグの値を参照する。フラグの値が参照されると、取得部１２２とキャプチャ部１３２と監視部１４０とは、それぞれフラグの値に基づき、ネットワークミドル１１０が画像のキャプチャを命じる指示を受信したか否かを判断する。画像のキャプチャを命じる指示を受信したと判断した場合には（Ｓ３０２にてＹＥＳ）、処理はＳ３０４へと移される。もしそうでないと（Ｓ３０２にてＮＯ）、処理はＳ３００へと移される。
【００２３】
Ｓ３０４にて、キャプチャ部１３２は、カメラ１３０が生成する映像の信号を用いて静止画を表わす情報を生成する。これによりカメラ１３０が撮影した映像をキャプチャしたこととなる。静止画を表わす情報が生成されると、キャプチャ部１３２は生成した情報を圧縮部１３４に出力する。圧縮部１３４はキャプチャ部１３２が出力した情報を圧縮する。画像転送部１３６は圧縮部が圧縮した静止画の情報を送信するようにネットワークミドル１１０を制御する。取得部１２２はＲＴＣ１２０が測定した時刻に基づき、キャプチャ部１３２が画像をキャプチャした時刻を表わす情報を生成する。本実施の形態の場合、取得部１２２はキャプチャを命じる指示が受信されたことを検知した時点の時刻をキャプチャ部１３２が画像をキャプチャした時刻とみなす。取得部１２２は実行部１１６のフラグによりキャプチャを命じる指示が受信されたことを検知する。時刻を表わす情報が生成されると、ログ部１２４は取得部１２２が生成した時刻を表わす情報に基づき画像をキャプチャしたことのログを表わす情報を生成する。ログ転送部１２６はログ部１２４が生成した情報を通信制御部１１２に出力する。通信制御部１１２はログ転送部１２６が出力した情報を送信するようにネットワークミドル１１０を制御する。
【００２４】
Ｓ３０６にて、監視部１４０は取得部１２２が生成した画像のキャプチャの時刻を表わす情報を読出す。情報が読出されると、監視部１４０は読出した情報を時刻記憶部１４４に出力する。
【００２５】
Ｓ３０８にて、実行部１１６は、画像のキャプチャを終了するか否かを判断する。本実施の形態の場合、実行部１１６は図示しない電源スイッチの状態に基づいて画像のキャプチャを終了するか否かを判断する。画像のキャプチャを終了すると判断した場合には（Ｓ３０８にてＹＥＳ）、処理は終了する。もしそうでないと（Ｓ３０８にてＮＯ）、処理はＳ３１０へと移される。
【００２６】
Ｓ３１０にて、時刻記憶部１４４は、モードスイッチ１４２が時刻情報の表示を許可する状態であるか否かを判断する。モードスイッチ１４２が時刻情報の表示を許可する状態であると判断した場合には（Ｓ３１０にてＹＥＳ）、処理はＳ３１２へと移される。もしそうでないと（Ｓ３１０にてＮＯ）、処理はＳ３００へと移される。
【００２７】
Ｓ３１２にて、時刻記憶部１４４は、ディスプレイ１６０に対し時刻情報を出力する。ディスプレイ１６０は時刻情報を表示する。
【００２８】
以上のような構造およびフローチャートに基づく、防犯システム１０の動作について説明する。
【００２９】
携帯電話４０から画像をキャプチャするよう指示が送信されたとする。サーバ３０は携帯電話４０が送信した指示をホームセイフティ機器２０に転送する。ホームセイフティ機器２０は指示を受信する（Ｓ３００）。指示が受信されると、取得部１２２とキャプチャ部１３２と監視部１４０とはネットワークミドル１１０が受信した指示がキャプチャを命じる指示か否かを判断する（Ｓ３０２）。ネットワークミドル１１０が画像のキャプチャを命じる指示を受信すると（Ｓ３０２にてＹＥＳ）、キャプチャ部１３２は、カメラ１３０が撮影した映像から画像をキャプチャする。画像がキャプチャされると、ネットワークミドル１１０は、圧縮部１３４が圧縮した画像の情報をサーバ３０に送信する。取得部１３２は画像をキャプチャした時刻を表わす時刻情報を生成する。ＲＴＣ１２０が時刻情報を生成するための時刻を特定する。時刻情報は画像のキャプチャの時刻を表わすこととなる。ログ部１２４はログを表わす情報を生成する。ネットワークミドル１１０はログ転送部１２６が転送したログを表わす情報をサーバ３０に送信する（Ｓ３０４）。監視部１４０は取得部１２２が生成した時刻を表わす情報を読出す。時刻を表わす情報が読出されると、監視部１４０は自らが読出した情報を時刻記憶部１４４に出力する。時刻記憶部１４４は、監視部１４０が出力した情報を記憶する（Ｓ３０６）。
【００３０】
情報が記憶されると、実行部１１６は画像のキャプチャを終了するか否かを判断する（Ｓ３０８）。この場合、画像のキャプチャを終了しないとすると（Ｓ３０８にてＮＯ）、時刻記憶部１４４は、モードスイッチ１４２が時刻情報の表示を許可する状態であるか否かを判断する（Ｓ３１０）。この場合、モードスイッチ１４２が時刻情報の表示を許可する状態であるとすると（Ｓ３１０にてＹＥＳ）、時刻記憶部１４４は、ディスプレイ１６０に対し時刻情報を出力する。ディスプレイ１６０は時刻情報を表示する（Ｓ３１２）。時刻情報が表示されると、Ｓ３００〜Ｓ３１２の処理が繰返される。
【００３１】
以上のようにして、本実施の形態に係る防犯システムは、画像をキャプチャする際、時刻情報を記憶する。ホームセイフティ機器は、サーバから独立して時刻情報を記憶する。ユーザは自らの操作により時刻情報の内容を確認できる。時刻情報がサーバから独立して記憶されるので、ホームセイフティ機器が保有する情報の漏洩や改竄を容易に防止できる。従来、室内にいて被写体となる者が撮影されることに対してプライバシーを懸念することはなかった。防犯システムは、プライバシーが保護されるとの前提の下で、敢えて室内などを撮影させることにより非常時の対処を容易にするシステムだからである。不正アクセスを実現する技術の向上は、被写体となる者にプライバシーの保護を懸念させ始めている。本実施の形態に係る防犯システムは、画像をキャプチャする際、時刻情報を保有するので、被写体となる者の懸念を解消させる。被写体となる者の懸念が解消するので、本実施の形態に係る防犯システムは安心を確認できる。懸念が解消され、かつ安心が確認されるので、その結果、プライバシーを保護しつつ保証するセキュリティのレベルを向上できるホームセイフティ機器、ホームセイフティプログラム、ホームセイフティプログラムを記録したコンピュータ読取り可能な記録媒体、および防犯システムを提供することができる。
【００３２】
また、本実施の形態に係るホームセイフティ機器は、時刻情報の出力の方向を規制する。時刻情報の出力の方向が規制されるので、一旦記憶された時刻情報が再度送信されたり改竄されたりする可能性が低くなる。
【００３３】
また、本実施の形態に係るホームセイフティ機器は、光通信により時刻情報の出力の方向を規制する。光通信により時刻情報の出力の方向が規制されるので、一旦記憶された時刻情報が再度送信されたり改竄されたりする可能性を容易に低下させることができる。
【００３４】
また、本実施の形態に係るホームセイフティ機器は、時刻情報を表示する。これにより、ユーザは画像がキャプチャされた時期の履歴を効率よく知ることができる。
【００３５】
また、変形例として、監視部１４０は、スピーカスイッチ１４２が時刻の出力を許可している期間だけ、時刻情報を記憶させてもよい。
【００３６】
また、変形例として、スピーカ１４６は、時刻情報を音声により出力してもよい。これにより、ユーザは、画像がキャプチャされた時期の履歴を音声により取得できる。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３８】
【図１】本発明の実施の形態に係る防犯システムの概念図である。
【図２】本発明の実施の形態に係るホームセイフティ機器の外観図である。
【図３】本発明の実施の形態に係るホームセイフティ機器の制御ブロック図である。
【図４】本発明の実施の形態に係るホームセイフティ機器を実現するコンピュータハードウェアの制御ブロック図である。
【図５】本発明の実施の形態に係る時刻情報の記憶処理の制御の手順を示すフローチャートである。
【符号の説明】
【００３９】
１０  防犯システム、２０  ホームセイフティ機器、３０  サーバ、４０  携帯電話、１００  焦電センサ、１０２  センサスイッチ、１０４  スイッチ管理部、１０６  センサ管理部、１１０  ネットワークミドル、１１２  通信制御部、１１４  接続部、１１６  実行部、１２０  ＲＴＣ、１２２  取得部、１２４  ログ部、１２６  ログ転送部、１３０  カメラ、１３２  キャプチャ部、１３４  圧縮部、１３６  画像転送部、１４０  監視部、１４２  モードスイッチ、１４４  時刻記憶部、１４６  スピーカ、１６０  ディスプレイ、１６２  ＬＥＤ、２３１  ＣＰＵ、２３２  Ｉ／Ｏ、２３３  ＨＤ装置、２３４  表示部、２３５  ＲＡＭ、２３６  通信部、２３７  ＣＤ−ＲＷドライブ、２３８  操作部、２３９  バス、３００  ＣＤ−ＲＷ。
【図１】
2007115113.tif 000003
【図２】
2007115113.tif 000004
【図３】
2007115113.tif 000005
【図４】
2007115113.tif 000006
【図５】
2007115113.tif 000007